(57)【特許請求の範囲】
【請求項１】
アーチ外刃(4)を有する刃枠(2)と、この刃枠(2)に上下に移動できるように装着してなるトリマー(3)と、刃枠(2)を脱着できるように装着しているかみそり本体(1)とを備える電気かみそりにおいて、
刃枠(2)に設けているトリマー(3)を上下に移動させる上下ツマミ(5)をかみそり本体(1)に上下に移動できるように装着しており、この上下ツマミ(5)には、かみそり本体(1)から刃枠(2)に向かって突出して、刃枠(2)のトリマー(3)を上下に移動させる押出ロッド(6)を連結しており、かみそり本体(1)の上下ツマミ(5)を上下に移動して、押出ロッド(6)を介してトリマー(3)を刃枠(2)の上下に移動させるように構成すると共に、
トリマー(3)の両端面と刃枠(2)の内面を、上下ガイド機構(15)を介してトリマー(3)が上下に移動できるように連結しており、  
上下ガイド機構(15)は、トリマー(3)から刃枠(2)内面に向かって突出している第１ガイド凸起(16A)と、この第１ガイド凸起(16A)を上下に移動できるように案内する刃枠(2)内面に設けてなる第１ガイド溝(17B)と、刃枠(2)内面からトリマー(3)に向かって突出している第２ガイド凸起(17A)と、この第２ガイド凸起(17A)を上下に移動できるように案内するトリマー(3)に設けてなる第２ガイド溝(16B)とを備え、第１ガイド凸起(16A)と第２ガイド凸起(17A)は、トリマーを(3)降下位置から上昇位置に移動させるにしたがって、互いに離れる位置に配設しているトリマーを有する電気かみそり。
【請求項２】
トリマー(3)と刃枠(2)との間に、トリマー(3)を降下位置に弾性的に引き込む引込弾性体(18)を装着しており、トリマー(3)が押出ロッド(6)で押し上げられて、刃枠(2)から上昇位置に押し出される請求項１に記載されるトリマーを有する電気かみそり。
【請求項３】
引込弾性体(18)が、トリマー(3)と刃枠(2)との間に配設してなる引込バネで、引込バネは中間のループ部(18A)の両端に弾性アーム部(18B)を有し、ループ部(18A)はトリマー(3)のピン(19)に挿通して連結され、弾性アーム部(18B)が刃枠(2)の内面に設けている係止凸部(20)を弾性的に押圧している請求項２に記載されるトリマーを有する電気かみそり。
【発明の詳細な説明】
【０００１】
【発明の属する技術分野】
本発明は、トリマーを有する電気かみそりに関し、とくに上下に移動するトリマーを刃枠に設けている電気かみそりに関する。
【０００２】
【従来の技術】
電気かみそりは、外刃の清掃を簡単にするために、かみそり本体に脱着できるように刃枠を連結している。刃枠に外刃を連結して、これをかみそり本体から外して外刃や内刃を清掃できるようにしている。さらに、トリマーを備える電気かみそりは、かみそり本体と刃枠のいずれかにトリマーを連結している。
【０００３】
【発明が解決しようとする課題】
トリマーは、使用するときに上昇し、使用しないときはひげ剃りの邪魔にならないように降下して収納できる構造としてより便利に使用できる。刃枠は、かみそり本体の先端に連結しているので、刃枠にトリマーを設けた電気かみそりは、トリマーを上昇させた状態で、刃枠から突出させて最も便利に使用できる。ただ、刃枠にトリマーを設けて、これを上下に移動させる電気かみそりは、小さい刃枠にトリマーを上下に移動できるように設ける必要があって、製作が難しくなる。また、小さい刃枠にトリマーを設けるので、上下のストロークを大きくするのも難しい。このため、刃枠に装着しているトリマーは、上下に移動できないものが多く、上昇位置に突出させて使用できない。
【０００４】
かみそり本体は大きいので、トリマーを装着するために充分なスペースがある。このため、上下に移動できるようにトリマーを装着できる。しかしながら、かみそり本体は刃枠の下方にあるので、ここに装着しているトリマーは、刃枠から突出させるように上昇させるには、極めてストロークを大きくする必要がある。かみそり本体から高く突出するトリマーは、充分な強度に設計するのが難しい。強度を考慮して、トリマーのストロークを小さくすると、上昇位置のトリマーを刃枠よりも高く突出させることができず、トリマーを便利に使用できる位置まで移動できなくなる。
【０００５】
本発明は、このような欠点を解決することを目的に開発されたものである。本発明の重要な目的は、トリマーを上下に移動できるように刃枠に装着して、トリマーの取付構造と製作と設計を簡単にできるトリマーを有する電気かみそりを提供することにある。
【０００６】
【課題を解決するための手段】
本発明のトリマーを有する電気かみそりは、アーチ外刃４を有する刃枠２と、この刃枠２に上下に移動できるように装着してなるトリマー３と、刃枠２を脱着できるように装着しているかみそり本体１とを備える。さらに、電気かみそりは、刃枠２に設けているトリマー３を上下に移動させる上下ツマミ５をかみそり本体１に上下に移動できるように装着している。この上下ツマミ５には、かみそり本体１からは枠２に向かって突出して、刃枠２のトリマー３を上下に移動させる押出ロッド６を連結している。かみそり本体１の上下ツマミ５を上下に移動して、押出ロッド６を介してトリマー３を刃枠２の上下に移動させるようにしている。
さらに、本発明の電気かみそりは、トリマー３の両端面と刃枠２の内面を、上下ガイド機構１５を介してトリマー３が上下に移動できるように連結する。この上下ガイド機構１５は、トリマー３から刃枠２内面に向かって突出している第１ガイド凸起１６Ａと、この第１ガイド凸起１６Ａを上下に移動できるように案内する刃枠２内面に設けてなる第１ガイド溝１７Ｂと、刃枠２内面からトリマー３に向かって突出している第２ガイド凸起１７Ａと、この第２ガイド凸起１７Ａを上下に移動できるように案内するトリマー３に設けてなる第２ガイド溝１６Ｂとを備える。第１ガイド凸起１６Ａと第２ガイド凸起１７Ａは、トリマー３を降下位置から上昇位置に移動させるにしたがって、互いに離れる位置に配設している。この電気かみそりは、上下ガイド機構１５によって、トリマー３を正確なストロークで上下に移動できる特徴がある。
【０００７】
さらに、本発明の電気かみそりは、好ましくは、トリマー３と刃枠２との間に、トリマー３を降下位置に弾性的に引き込む引込弾性体１８を装着する。この電気かみそりは、押出ロッド６を押し上げると、トリマー３が刃枠２から上昇位置に押し出され、押出ロッド６を降下させると、トリマー３が降下位置に弾性的に引き込まれる。
【０００８】
引込弾性体１８は、トリマー３と刃枠２との間に配設してなる引込バネとすることができる。この引込バネは、中間のループ部１８Ａの両端に弾性アーム部１８Ｂを有する構造とし、ループ部１８Ａをトリマー３のピン１９に挿通して連結し、弾性アーム部１８Ｂで刃枠２の内面に設けている係止凸部２０を弾性的に押圧する。この電気かみそりは、引込弾性体１８を、中間のループ部１８Ａの両端に弾性アーム部１８Ｂを有する極めて簡単な構造として、トリマー３を刃枠２に弾性的に押圧できる。
【００１０】
【発明の実施の形態】
以下、本発明の実施例を図面に基づいて説明する。ただし、以下に示す実施例は、本発明の技術思想を具体化するための電気かみそりを例示するものであって、本発明は電気かみそりを以下のものに特定しない。
【００１１】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１２】
図１ないし図３に示す電気かみそりは、刃枠２と、この刃枠２を脱着できるように装着しているかみそり本体１とを備える。刃枠２は、図４の一部断面図に示すように、かみそり本体１に設けている脱着フック７を介して、かみそり本体１に連結される。脱着フック７は、かみそり本体１の先端部であって両側に配設している。脱着フック７は、刃枠２の内面に設けている引掛凹部８に引っかけられるフック部７Ａと、かみそり本体１から外部に突出している押ボタン部７Ｂとを有する。脱着フック７は、かみそり本体１に内蔵される押しバネ９で、押ボタン部７Ｂがかみそり本体１から弾性的に押し出される方向に押されて、フック部７Ａを刃枠２の引掛凹部８に引っかけている。刃枠２を外すとき、脱着フック７の押ボタン部７Ｂを押し込むと、フック部７Ａが引掛凹部８から離れる。この状態で、刃枠２をかみそり本体１から外すことができる。刃枠２をかみそり本体１の定位置に装着すると、脱着フック７のフック部７Ａが引掛凹部８に引っかけられて、刃枠２を外れないように連結する。
【００１３】
刃枠２は、図５の側面図に示すように、かみそり本体１の縦方向に対して傾斜する姿勢で装着される。刃枠２とかみそり本体１の傾斜角θは、たとえば、５〜３０度、好ましくは１０〜２０度とする。刃枠２を傾斜する姿勢で装着するために、かみそり本体１は、刃枠２を当接させる先端周縁の装着面１Ａを、縦軸に対して傾斜する面としている。図５に示す刃枠２は、両側面を先端に向かって幅が狭くなる方向に傾斜させている。この構造の刃枠２は、かみそり本体１に傾斜する姿勢で装着して、アーチ外刃４と刃枠２側面との間隔を、図５において下方にむかって広くできる。このため、アーチ外刃４の先端面を刃枠２の一方、図５において左側の側面に接近させて、アーチ外刃４の下部を刃枠２の内面から離すことができる。
【００１４】
図の刃枠２は、かみそり本体１に対して傾斜する姿勢で装着しているが、本発明の電気かみそりは、刃枠をかみそり本体に傾斜しない姿勢で連結することもできる。
【００１５】
刃枠２は、アーチ外刃４とトリマー３を平行に装着している。図の電気かみそりは、２連のアーチ外刃４を刃枠２に装着している。ただ、本発明の電気かみそりは、図６に示すように、１連のアーチ外刃４を刃枠２に装着することも、また、図示しないが３連以上のアーチ外刃を刃枠に装着することもできる。複数連のアーチ外刃を装着している刃枠は、図５に示すように、複数連のアーチ外刃の上端面を含むひげ剃り面を、トリマーの傾斜方向に傾斜させる。
【００１６】
アーチ外刃４は、かみそり本体１の縦方向と平行な姿勢で刃枠２に装着される。図の刃枠２は、かみそり本体１に傾斜して装着されるので、アーチ外刃４は、刃枠２に対しては傾斜する姿勢で装着される。アーチ外刃４は、刃枠２に多少上下に移動できるように装着される。アーチ外刃４を皮膚に押し付けたときに、多少弾性的に出入りして皮膚に心地よく快適に接触させるためである。
【００１７】
アーチ外刃４は、プラスチック製のホルダー４Ｂに、網刃４Ａをアーチ状に湾曲させて固定したものである。網刃４Ａは、厚さを、例えば、３０〜１００μｍ、最適には約５０μｍとする薄い金属板である。網刃４Ａは、無数の髭剃孔を開口している。
【００１８】
ホルダー４Ｂは、例えばポリプロピレン、ポリエチレン、ナイロン等の硬質のプラスチックを、上下を開口した長方形の角筒状に成形したものである。ホルダー４Ｂは、刃枠２に装着して上下に移動できる外形に成形される。ホルダー４Ｂは、アーチ外刃４を刃枠２から弾性的に押し上げる方向に押圧するために弾性脚（図示せず）を一体成形して設ける。弾性脚は、下端縁を刃枠２の一部に接触させて、アーチ外刃４を刃枠２から弾性的に押し上げる。
【００１９】
さらに、アーチ外刃４が刃枠２から抜けないように、また、決められた位置で上下にフロートさせるために、アーチ外刃４のホルダー４Ｂは、図７に示すように、両端面に上下スリット４ａを設ける。上下スリット４ａは、かみそり本体１の縦方向に延長して設けられる。アーチ外刃４を、かみそり本体１の縦方向にストロークさせるためである。一方、刃枠２の内面には、上下スリット４ａに挿入されるガイド凸部（図示せず）を設ける。この構造は、ガイド凸部を上下スリット４ａに摺動できるように案内して、アーチ外刃４を刃枠２から抜けないように、しかも、決められた位置で上下にフロートできるように連結できる。
【００２０】
トリマー３は、刃枠２に出入りできるように装着される。このトリマー３は、かみそり本体１に対して傾斜する姿勢で刃枠２に装着される。トリマー３の傾斜方向は、図５に示すように、先端縁を隣接するアーチ外刃４に接近させる方向である。この図の刃枠２は、トリマー３の左側にアーチ外刃４を配設しているので、トリマー３の上端縁を左に、下端を右に移動させる方向に傾斜させる。ただ、本発明の電気かみそりは、トリマーをかみそり本体に対して傾斜しない姿勢で刃枠に装着することもできる。
【００２１】
トリマー３は、金属板を逆Ｌ字状に折曲した固定トリマー刃３Ａ及び振動トリマー刃３Ｂと、固定トリマー刃３Ａと振動トリマー刃３Ｂとを連結しているスライド台１０とを備える。固定トリマー刃３Ａと振動トリマー刃３Ｂの上部を、図８の拡大断面図に示している。この図の固定トリマー刃３Ａは、水平部の折曲縁近傍を上面に突出させて凸条３ａを設け、さらに、水平部の先端縁を下方に折曲して下方折曲縁３ｂとしている。振動トリマー刃３Ｂも、逆Ｌ字状に折曲されて、固定トリマー刃３Ａの下面を摺動する形状としている。振動トリマー刃３Ｂは、水平部の幅を、固定トリマー刃３Ａの水平部よりも狭くしている。振動トリマー刃３Ｂの水平部を、固定トリマー刃３Ａの水平部の下面に接触して摺動させるためである。固定トリマー刃３Ａと振動トリマー刃３Ｂは、水平部の先端縁に複数の平行なスリット３ｃを切削加工してくし刃としている。固定トリマー刃３Ａと振動トリマー刃３Ｂに設けているくし刃は、先端の開口縁に向かって、次第に幅を広くするスリットとしている。ひげをよりスムーズにくし刃に案内するためである。さらに、固定トリマー刃３Ａは、水平部の凸条３ａを設けた部分にもスリット３ｄを設けている。このスリット３ｄは、くしの作用をしてくせ髭をそろえる働きをする。
【００２２】
スライド台１０は、刃枠２に上下に移動できるように装着される。スライド台１０は、固定トリマー刃３Ａを固定して、振動トリマー刃３Ｂを、固定トリマー刃３Ａの下面を摺動して往復運動できるように連結している。
【００２３】
トリマー３は、刃枠２に上下に出入りできるように装着される。トリマー３は、上昇位置と降下位置で停止される。トリマー３は、上昇位置に押し上げられて、きわぞりやくせ髭のひげそりに使用される。トリマー３は、図５に示すように、アーチ外刃４とほぼ同一平面となる位置まで、降下されて、アーチ外刃４と共にひげそりに使用される。この図のトリマー３は、アーチ外刃４よりも多少下がった降下位置まで引き下げている。
【００２４】
トリマー３は、上下に移動できるように刃枠２に連結されて、上昇位置と降下位置の両方で、振動トリマー刃３Ｂを振動させる。振動トリマー刃３Ｂをアーチ内刃１１と一緒に振動させるために、振動トリマー刃３Ｂは、下方に延長して連結アーム１２を設けている。連結アーム１２は、縦に長いスリット１２Ａを有する。連結アーム１２のスリット１２Ａは、振動ロッド１３に設けている駆動アーム１４が案内されて、振動ロッド１３で振動される。スリット１２Ａは、トリマー３を上昇位置と降下位置において、駆動アーム１４を案内できる長さである。
【００２５】
スライド台１０は、トリマー３を刃枠２に上下移動できるように連結するために、トリマー３の両端面と刃枠２の内面は、図９に示すように上下ガイド機構１５を介してトリマー３が上下に移動できるように連結している。
【００２６】
上下ガイド機構１５の要部を示す斜視図を図１０に示している。この図は、上昇位置にあるトリマー３と刃枠２の相対的な位置関係を示している。トリマー３は、押し上げられない状態では、矢印Ａで示す方向に移動されて降下位置にある。この図の上下ガイド機構１５は、トリマー３のスライド台１０の両端に設けている垂直プレート１６と、この垂直プレート１６に対向して刃枠２の内面に設けている垂直ガイド１７とに設けている。上下ガイド機構１５は、トリマー３の垂直プレート１６から刃枠２内面の垂直ガイド１７に向かって突出している第１ガイド凸起１６Ａと、この第１ガイド凸起１６Ａを上下に移動できるように案内する刃枠２内面の垂直ガイド１７に設けてなる第１ガイド溝１７Ｂと、刃枠２内面の垂直ガイド１７からトリマー３に向かって突出している第２ガイド凸起１７Ａと、この第２ガイド凸起１７Ａを上下に移動できるように案内するトリマー３の垂直プレート１６に設けてなる第２ガイド溝１６Ｂとを備える。
【００２７】
第１ガイド凸起１６Ａと第２ガイド凸起１７Ａは、上昇位置にあるトリマー３の傾動をより確実に阻止するために、トリマー３を降下位置から上昇位置に移動させるにしたがって、互いに離れる位置に配設している。図１０の上下ガイド機構１５は、第１ガイド凸起１６Ａをトリマー３の垂直プレート１６の上部に設けて、第２ガイド凸起１７Ａを刃枠２の垂直ガイド１７の下部に設けている。第１ガイド凸起１６Ａはトリマー３と共に上昇する。したがって、トリマー３を上昇位置に移動させると、第１ガイド凸起１６Ａが第２ガイド凸起１７Ａから離れ、第１ガイド凸起１６Ａと第２ガイド凸起１７Ａとの間隔が広くなって、トリマー３の傾動を確実に阻止する。
【００２８】
刃枠２の垂直ガイド１７は、上下に延長する溝を設けて第１ガイド溝１７Ｂとし、トリマー３の垂直プレート１６は、上下に延長するスリットを設けて第２ガイド溝１６Ｂとしている。第１ガイド溝１７Ｂと第２ガイド溝１６Ｂは、トリマー３を上下に移動するときに、第１ガイド凸起１６Ａと第２ガイド凸起１７Ａが移動する軌跡に配設され、ガイド溝の幅はガイド凸起の幅にほぼ等しく、ガイド凸起が少ない遊びでガイド溝を摺動できるようにしている。
【００２９】
トリマー３の垂直プレート１６は、硬質プラスチックでもってスライド台１０に一体成形される。垂直プレート１６は、弾性変形できるプレートである。図の垂直プレート１６は、上端を連結して、側部をスリットで切り離す形状として、弾性変形しやすい形状としている。この構造のトリマー３は、垂直プレート１６を弾性変形させて、簡単に刃枠２に装着できる。弾性変形する垂直プレート１６は、第２ガイド凸起１７Ａを第２ガイド溝１６Ｂに簡単に入れられるからである。
【００３０】
図の上下ガイド機構１５は、第２ガイド凸起１７Ａを第２ガイド溝１６Ｂの上端と下端に当接させて、トリマー３の上昇位置と降下位置を決定する。トリマーの降下位置は、第１ガイド凸起を第１ガイド溝に当接して決定することもできる。トリマー３は、引込弾性体で弾性的に下方に押圧されて、降下位置に停止される。トリマー３は、押出ロッド６に押し上げられて上昇位置に停止される。
【００３１】
トリマー３を降下位置に引き込むために、図１１に示すように、トリマー３と刃枠２との間に、トリマー３を降下位置に弾性的に引き込む引込弾性体１８を装着している。この引込弾性体１８は、トリマー３を押出ロッド６で押し上げないときに、トリマー３を刃枠２の降下位置まで降下させる。
【００３２】
引込弾性体１８を図１２に示している。この図の引込弾性体１８は、トリマー３と刃枠２との間に配設している引込バネである。引込バネは、弾性金属線を加工して製作されたもので、中間のループ部１８Ａの両端に弾性アーム部１８Ｂを突出させた形状としている。この引込バネは、ループ部１８Ａをトリマー３のスライド台１０に一体成形して設けているピン１９に挿通してスライド台１０に連結している。引込バネの弾性アーム部１８Ｂは、刃枠２の内面に設けている係止凸部２０を弾性的に押圧する。引込バネの弾性アーム部１８Ｂが刃枠２の係止凸部２０を弾性的に押圧する反作用で、弾性アーム部１８Ｂは図１２の矢印Ｂで示す方向に押圧され、この力でトリマー３が降下される。
【００３３】
スライド台１０と刃枠２内面は、ピン１９と係止凸部２０を配設するための隙間を設けている。スライド台１０のピン１９は、スライド台１０から刃枠２内面に向かって突出して設けられ、刃枠２の係止凸部２０は、刃枠２内面からスライド台１０に向かって突出して設けられる。係止凸部２０とピン１９は、トリマー３の上下動を阻止しない位置に配設される。
【００３４】
さらに、スライド台１０は、かみそり本体１に設けている押出ロッド６に押されて、刃枠２から突出するように押し出される。スライド台１０は、図９と図１０に示すように、押出ロッド６を連結する連結凹部２１を下端の中央に設けており、ここに押出ロッド６を連結する。
【００３５】
かみそり本体１は、刃枠２のトリマー３を上下に移動させる上下ツマミ５を装着しており、この上下ツマミ５には、かみそり本体１から刃枠２に向かって突出して、刃枠２のトリマー３を上下に移動させる押出ロッド６を連結している。上下ツマミ５を上下に移動させると、トリマー３が上下に移動する。上下ツマミ５を上昇させると、押出ロッド６がトリマー３のスライド台１０を押し上げてトリマー３を上昇位置に押し出す。上昇位置を降下させると、押出ロッド６が降下し、トリマー３は引込弾性体１８に押されて降下位置に引き込まれる。
【００３６】
上下ツマミ５は、図１３の断面図に示すように、背面に突出する複数の連結フック５Ａを一体成形して設けている。連結フック５Ａは、かみそり本体１に上下に延長して設けている貫通孔を通過して、ケース２２の内部に突出し、先端のフック部を押出ロッド６に連結している。この構造は、押出ロッド６と上下ツマミ５で、かみそり本体１のケース２２を摺動できるように挟んで、上下ツマミ５と押出ロッド６とをケース２２に上下に移動できるように連結している。
【００３７】
押出ロッド６は、図１４に示すように、上下ツマミ５を、トリマー３が上昇位置と降下位置となる位置で節度のある状態で停止させるために、一対の節度アーム６Ａを一体成形して設けている。一対の節度アーム６Ａは、下端に内側に突出する凸部６Ｂを有する。この凸部６Ｂが、かみそり本体１のケース２２に一体成形している節度凸部２３を上下に越えて移動するようにして、上下ツマミ５を上昇位置と降下位置とに停止させる。
【００３８】
かみそり本体１は、図３と図１５に示すように、上端に設けた貫通孔から、２本の振動ロッド１３を真上に突出させている。振動ロッド１３は、かみそり本体１の縦方向と平行、すなわち真上に延長されて、先端にアーチ内刃１１を連結する。アーチ内刃１１を往復運動させる振動ロッド１３は、トリマー３を往復運動させる駆動アーム１４を横に突出して連結している。この駆動アーム１４は、振動トリマー刃３Ｂの連結アーム１２に設けているスリット１２Ａに入れられて、１本の振動ロッド１３でアーチ内刃１１とトリマー３の両方を往復運動させる。２本の振動ロッド１３は、互いに反対方向に往復運動される。
【００３９】
図の振動ロッド１３は、アーチ内刃１１を連結する内刃台２４を上端に連結しており、内刃台２４に駆動アーム１４を設けている。内刃台２４は、振動ロッド１３に上下に移動できるが抜けないように連結される。内刃台２４は、振動ロッド１３に挿入しているバネ２５で弾性的に押し上げられている。バネ２５は、内刃台２４を介してアーチ内刃１１をアーチ外刃４の内面に押圧する。内刃台を振動ロッドに上下に移動しないように連結し、内刃台から弾性的に押されるようにアーチ内刃を連結することもできる。
【００４０】
振動ロッド１３は、かみそり本体１に内蔵される振動台２６に垂直に固定される。振動台２６は、ケース２２に内蔵されるインナーケース２７の上部に連結される。２連の振動台２６は、インナーケース２７上端に設けている連結台２８に固定される固定部２６Ａを両側に有し、この固定部２６Ａに、Ｕ極された弾性アーム２６Ｂを介して振動部２６Ｃを連結している。この図の振動台２６は、全体を硬質のプラスチックで一体成形して、弾性アーム２６Ｂを弾性変形できるように薄く成形している。振動台２６の振動部２６Ｃは、回転するカム軸２９で振動されるように、カム軸２９を案内するスリットを設けている。このスリットは、振動方向に直交する方向に延長して設けられており、先端を開口している。スリットの幅はカム軸２９の外径にほぼ等しくしている。
【００４１】
インナーケース２７は、振動台２６を往復運動させるモーター３０と、このモーター３０で往復運動される振動台２６と、モーター３０を回転させる電池３１と、モーター３０の回転を制御するプリント基板（図示せず）も固定している。インナーケース２７は、上端を、ケース２２の上蓋３２に連結して、下端に底蓋３３を連結する。インナーケース２７の上端と下端は、止ネジで上蓋３２と底蓋３３に固定される。底蓋３３は、インナーケース２７を介して、ケース２２の下端開口部に固定されて、ここを水密に閉塞する。
【００４２】
かみそり本体１は、プラスチックを筒状に成形して、下端を開口しているケース２２の開口端を、底蓋３３で水密に閉塞している。ケース２２は、上蓋３２を一体成形して、上端を閉塞している。上蓋３２は、振動ロッド１３を突出させる貫通孔３２Ａを設けている。貫通孔３２Ａから水が侵入しないように、貫通孔３２Ａを可撓性のゴムシート３４で閉塞している。
【００４３】
【発明の効果】
本発明のトリマーを有する電気かみそりは、トリマーを上下に移動できるように刃枠に装着して、トリマーの取付構造と製作と設計を簡単にできる特長がある。それは、本発明のトリマーを有する電気かみそりが、上下ツマミをかみそり本体に上下に移動できるように装着すると共に、この上下ツマミに、かみそり本体から刃枠に向かって突出して、トリマーを上下に移動させる押出ロッドを連結しており、上下ツマミを上下に移動して、押出ロッドを介してトリマーを刃枠の上下に移動させるようにしているからである。この電気かみそりは、刃枠に装着したトリマーを、かみそり本体に装着した上下ツマミで移動できるので、充分な強度に設計して、しかも、小さなストロークでトリマーを刃枠から高く突出するように上昇させて便利に使用できる特長がある。
【図面の簡単な説明】
【図１】本発明の実施例の電気かみそりの斜視図
【図２】図１に示す電気かみそりの背面斜視図
【図３】図１に示す電気かみそりの分解斜視図
【図４】かみそり本体と刃枠の連結構造を示す一部断面正面図
【図５】かみそり本体と刃枠の連結構造を示す側面図
【図６】本発明の他の実施例の電気かみそりの分解斜視図
【図７】アーチ外刃の拡大斜視図
【図８】トリマーで髭を剃る状態を示す拡大断面図
【図９】刃枠の底面斜視図
【図１０】上下ガイド機構を示す要部拡大斜視図
【図１１】刃枠とトリマーの連結構造を示す底面図
【図１２】引込弾性体を連結したトリマーを示す正面図
【図１３】かみそり本体の一部断面側面図
【図１４】押出ロッドの平面図
【図１５】かみそり本体の内部構造を示す分解正面図
【符号の説明】
１…かみそり本体        １Ａ…装着面
２…刃枠
３…トリマー            ３Ａ…固定トリマー刃    ３Ｂ…振動トリマー刃
３ａ…凸条              ３ｂ…下方折曲縁
３ｃ…スリット          ３ｄ…スリット
４…アーチ外刃          ４Ａ…網刃              ４Ｂ…ホルダー
４ａ…上下スリット
５…上下ツマミ          ５Ａ…連結フック
６…押出ロッド          ６Ａ…節度アーム        ６Ｂ…凸部
７…脱着フック          ７Ａ…フック部          ７Ｂ…押ボタン
８…引掛凹部
９…押しバネ
１０…スライド台
１１…アーチ内刃
１２…連結アーム        １２Ａ…スリット
１３…振動ロッド
１４…駆動アーム
１５…上下ガイド機構
１６…垂直プレート      １６Ａ…第１ガイド凸起  １６Ｂ…第２ガイド溝
１７…垂直ガイド        １７Ａ…第２ガイド凸起  １７Ｂ…第１ガイド溝
１８…引込弾性体        １８Ａ…ループ部        １８Ｂ…弾性アーム部
１９…ピン
２０…係止凸部
２１…連結凹部
２２…ケース
２３…節度凸部
２４…内刃台
２５…バネ
２６…振動台            ２６Ａ…固定部          ２６Ｂ…弾性アーム
２６Ｃ…振動部
２７…インナーケース
２８…連結台
２９…カム軸
３０…モーター
３１…電池
３２…上蓋              ３２Ａ…貫通孔
３３…底蓋
３４…ゴムシート
【図１】
0003773742.tif 000002
【図２】
0003773742.tif 000003
【図３】
0003773742.tif 000004
【図４】
0003773742.tif 000005
【図５】
0003773742.tif 000006
【図６】
0003773742.tif 000007
【図７】
0003773742.tif 000008
【図８】
0003773742.tif 000009
【図９】
0003773742.tif 000010
【図１０】
0003773742.tif 000011
【図１１】
0003773742.tif 000012
【図１２】
0003773742.tif 000013
【図１３】
0003773742.tif 000014
【図１４】
0003773742.tif 000015
【図１５】
0003773742.tif 000016